(57)【要約】      （修正有）【課題】閲覧者の利便性を考慮した映像を生成することができる映像生成プログラムを提供する。【解決手段】コンピュータは、主映像Ｍが入力される主映像入力部と、関連情報Ｒが入力される関連情報入力部と、主映像Ｍの表示領域内の所定範囲に関連情報Ｒが表示される合成映像Ｇを生成する生成部とを備える。合成映像Ｇは、主映像Ｍと連動して関連情報Ｒの表示内容が変化する。【選択図】図３
2018092627.tif 000002
【特許請求の範囲】
【請求項１】
主映像が入力される主映像情報入力部と、
前記主映像と関連する情報である関連情報が入力される関連情報入力部と、
前記主映像情報入力部に入力された前記主映像の表示領域内の所定範囲に前記関連情報入力部に入力された前記関連情報が表示される合成映像を生成する生成部と、としてコンピュータを機能させ、
前記合成映像は、前記主映像と連動して前記関連情報の表示内容が変化する、
ことを特徴とする映像生成プログラム。
【請求項２】
前記関連情報は、複数ページから構成されており、
前記合成映像は、前記主映像と前記関連情報のページ送りとが連動している、
ことを特徴とする請求項１に記載の映像生成プログラム。
【請求項３】
前記合成映像は、前記ページ内の表示態様が変化することを特徴とする請求項２に記載の映像生成プログラム。
【請求項４】
前記関連映像のページ送りは、複数フレームを要して次のページに切り替えられていることを特徴とする請求項２または３に記載の映像生成プログラム。
【請求項５】
前記関連映像は、前記合成映像内に表示される際に、前記所定範囲になるまで、より小さな範囲から漸次拡大するようにして表示されることを特徴とする請求項１から４のうちいずれか一項に記載の映像生成プログラム。
【請求項６】
前記合成映像とともに表示される目次情報を生成する目次生成部として更に前記コンピュータを機能させ、
前記目次情報は、前記合成映像を特定の位置から再生させるための時間情報及び当該時間に対応する項目情報を含むことを特徴とする請求項１から５のうちいずれか一項に記載の映像生成プログラム。
【発明の詳細な説明】
【技術分野】
【０００１】
本発明は、複数の映像から１つの映像を生成する映像生成プログラムに関する。
【背景技術】
【０００２】
例えば、企業がＩＲ（Investor Relations）活動等のために決算等の資料をインターネット上に公開することが多くなっている。この際に、資料だけでなく、説明会等の模様の映像も併せて公開することがある。
【０００３】
例えば特許文献１には、企業のＩＲ活動を支援するために、株主総会等のイベントを配信することが記載されている。
【先行技術文献】
【特許文献】
【０００４】
【特許文献１】特開２００２−２６９４４０号公報
【発明の概要】
【発明が解決しようとする課題】
【０００５】
しかしながら、単に資料と映像とをそれぞれ公開しただけでは、投資家等の閲覧者は、それらを同時に閲覧できない場合がある。また、同時に閲覧できたとしても、映像内で資料のどの部分を説明しているのかが分からないと閲覧者にとって不便である。
【０００６】
さらに、単に資料と映像を別々に表示した状態では、映像画面が小さくなる場合があり、説明者等の表情、ジェスチャ等が閲覧者から分かりにくく臨場感に欠ける。
【０００７】
そこで、本発明は、上記のような問題点に鑑み、閲覧者の利便性を考慮し、臨場感を持たせた映像を生成することができる映像生成プログラムを提供することを課題とする。
【課題を解決するための手段】
【０００８】
上記課題を解決するためになされた請求項１記載の発明は、主映像が入力される主映像情報入力部と、前記主映像と関連する情報である関連情報が入力される関連情報入力部と、前記主映像情報入力部に入力された前記主映像の表示領域内の所定範囲に前記関連情報入力部に入力された前記関連情報が表示される合成映像を生成する生成部と、としてコンピュータを機能させ、前記合成映像は、前記主映像と連動して前記関連情報の表示内容が変化する、ことを特徴とする映像生成プログラムである。
【０００９】
請求項２に記載の発明は、請求項１に記載の発明において、前記関連情報は、複数ページから構成されており、前記合成映像は、前記主映像と前記関連情報のページ送りとが連動している、ことを特徴とするものである。
【００１０】
請求項３に記載の発明は、請求項２に記載の発明において、前記合成映像は、前記ページ内の表示態様が変化することを特徴とするものである。
【００１１】
請求項４に記載の発明は、請求項２または３に記載の発明において、前記関連映像のページ送りは、複数フレームを要して次のページに切り替えられていることを特徴とするものである。
【００１２】
請求項５に記載の発明は、請求項１から４のうちいずれか一項に記載の発明において、前記関連映像は、前記合成映像内に表示される際に、前記所定範囲になるまで、より小さな範囲から漸次拡大するようにして表示されることを特徴とするものである。
【００１３】
請求項６に記載の発明は、請求項１から５のうちいずれか一項に記載の発明において、前記合成映像とともに表示される目次情報を生成する目次生成部として更に前記コンピュータを機能させ、前記目次情報は、前記合成映像を特定の位置から再生させるための時間情報及び当該時間に対応する項目情報を含むことを特徴とするものである。
【発明の効果】
【００１４】
以上説明したように請求項１記載の発明によれば、主映像の表示領域内の所定範囲に関連情報が表示されるので、例えば説明会の動画像を主映像として、その主映像と説明会用の資料等の関連情報とを同時に閲覧することができる。また、主映像内に関連情報が埋め込まれたように表示されるので、用途によって主映像を関連情報よりも大きく表示することもできるため、主映像に表示される発表者等の表情等が分かり易くなり臨場感を持たせることができる。また、主映像と連動して関連情報の表示内容が変化するので、主映像の内容に連動させて関連情報を表示させることができる。したがって、閲覧者の利便性を考慮した映像を生成することができる。
【００１５】
請求項２記載の発明によれば、関連映像は、複数ページから構成されており、生成部は、主映像と関連情報のページ送りとを連動させるので、例えば説明内容に合った資料のページを表示することが可能となる。
【００１６】
請求項３記載の発明によれば、関連映像が、主映像に連動して、ページ内で、例えばハイライト等の強調表示をすることができ、説明内容をより分かり易くすることができる。
【００１７】
請求項４記載の発明によれば、関連映像のページ送りは、複数フレームを要して次のページに切り替えられているので、ページ送りの際に視覚的な違和感を少なくすることができる。
【００１８】
請求項５記載の発明によれば、関連映像は、合成映像内に表示される際に、所定領域となる範囲を拡大するようにして表示されるので、関連映像の表示に際して臨場感を持たせることができる。
【００１９】
請求項６記載の発明によれば、合成映像とともに表示される目次情報が生成されるので、その目次情報を操作することにより閲覧者は容易に所望の資料を閲覧しながら、その説明を視聴することができる。
【図面の簡単な説明】
【００２０】
【図１】本発明の一実施形態にかかる映像生成プログラムが実行されるコンピュータの概略構成図である。
【図２】本発明の一実施形態にかかる映像生成プログラムの機能構成図である。
【図３】図２に示された生成部で生成される合成映像例の説明図である。
【図４】図２に示された生成部で生成される合成映像におけるページ送りについての説明図である。
【図５】図２に示された生成部で生成される合成映像における関連画像の表示時の視覚効果についての説明図である。
【図６】図２に示された生成部で生成される合成映像における関連画像の表示時の視覚効果についての説明図である。
【図７】図２に示された生成部で生成される合成映像における関連画像の表示時の視覚効果についての説明図である。
【図８】図２に示された映像生成プログラムの動作のフローチャートである。
【図９】図２に示された生成部で生成される合成映像の他の例の説明図である。
【図１０】図３に示された合成映像例に目次を付けた例である。
【図１１】図１０に示した目次情報の説明図である。
【発明を実施するための形態】
【００２１】
以下、本発明の一実施形態を図面に基づいて説明する。図１は、本発明の一実施形態にかかる映像生成プログラムを実行するコンピュータの概略構成図である。
【００２２】
図１に示したコンピュータ１００は、ＣＰＵ１０１と、ＲＯＭ１０２と、ＲＡＭ１０３と、ＳＳＤ１０４と、ビデオＩ／Ｆ１０５と、入力Ｉ／Ｆ１０６と、周辺機器Ｉ／Ｆ１０７と、ネットワークＩ／Ｆ１０８と、を有している。
【００２３】
ＣＰＵ１０１は、ＲＯＭ１０２に格納されているプログラムやＳＳＤ１０４に格納されているプログラムを実行する中央処理装置（Central Processing Unit）である。
【００２４】
ＲＯＭ１０２は、コンピュータ１００の起動時に実行されるプログラムやデータ等が格納されている読み出し専用メモリである。ＲＡＭ１０３は、ＣＰＵ１０１が各種プログラム等を実行する際のデータ等が一時的に格納されるランダムアクセスメモリである。ＳＳＤ１０４は、後述する映像生成プログラムを含むＣＰＵ１０１で実行されるプログラムや当該プログラムで使用されるデータ（情報）が格納されているSolid State Driveである。なお、Solid State Driveではなく、ＨＤＤ（ハードディスクドライブ）であってもよいし、光ディスクドライブを有していてもよい。
【００２５】
ビデオＩ／Ｆ１０５は、液晶ディスプレイ等の表示装置（不図示）へ表示するためのインターフェース（Ｉ／Ｆ）であり、ＣＰＵ１０１の処理結果等を表示装置（不図示）の表示形式に変換し表示させる。入力Ｉ／Ｆ１０６は、例えばキーボードやマウス等の入力装置が接続され、入力装置からの入力信号をＣＰＵ１０１等へ出力する。周辺機器Ｉ／Ｆ１０７は、例えばＵＳＢ（Universal Serial Bus）等の拡張用のＩ／Ｆであり、プリンタや外付けＨＤＤ等の外部周辺機器が接続される。ネットワークＩ／Ｆ１０８は、インターネット等の外部ネットワークとの接続用Ｉ／Ｆであり、有線通信、無線通信のいずれであってもよい。
【００２６】
そして、ＣＰＵ１０１と、ＲＯＭ１０２と、ＲＡＭ１０３と、ＳＳＤ１０４と、ビデオＩ／Ｆ１０５と、入力Ｉ／Ｆ１０６と、周辺機器Ｉ／Ｆ１０７と、ネットワークＩ／Ｆ１０８と、は、バス１０９で相互に接続されている。
【００２７】
次に、上述したコンピュータ１００のＣＰＵ１０１で実行される本発明の一実施形態にかかる映像生成プログラムを図２乃至図５を参照して説明する。図２は、映像生成プログラムの機能構成図である。図２に示したように、映像生成プログラム１は、主映像入力部２と、関連情報入力部３と、生成部４と、出力部５と、を有している。
【００２８】
主映像入力部２は、ＳＳＤ１０４に格納されている主映像を読み出して生成部４に出力する。関連情報入力部３は、ＳＳＤ１０４に格納されている関連情報を読み出して生成部４に出力する。即ち、主映像入力部２が主映像が入力される主映像情報入力部として機能し、関連情報入力部３が、関連情報が入力される関連情報入力部として機能する。ここで、映像生成プログラム１で生成される合成映像の例を図３を参照して説明する。
【００２９】
図３は、社長等の発表者Ｐが株主総会等で説明している動画像の映像に売上高等の資料を埋め込んだ合成映像Ｇである。ここで、発表者Ｐを含む広い範囲が主映像Ｍとなり、主映像Ｍの表示領域内の所定範囲に表示されているグラフ等の資料が関連情報Ｒとなっている。つまり、関連情報Ｒは、主映像Ｍに従属して表示される情報であり、主映像Ｍに関連する情報である。
【００３０】
生成部４は、主映像入力部２が読み出した主映像情報と、関連情報入力部３が読み出した関連映像情報と、に基づいて図３に示したような合成映像を生成する。出力部５は、生成部４が生成した合成映像を例えばＳＳＤ１０４に出力して格納する。
【００３１】
上述した合成映像Ｇは、主映像Ｍの再生（時間経過）に合わせて関連情報Ｒが変化する。ここで、関連情報Ｒが複数ページから構成されるデータ（スライド等）であった場合の例を図４を参照して説明する。図４では、関連情報Ｒが時刻ｔ１で２ページ目にページ送りされ、時刻ｔ２で３ページ目にページ送りされ、時刻ｔ３で４ページ目にページ送りされる。即ち、合成映像Ｇは、主映像Ｍと関連情報Ｒのページ送りとが連動している（主映像Ｍと連動して関連情報Ｒの表示内容が変化している）。
【００３２】
生成部４では、例えば合成映像Ｇの関連情報Ｒに係るデータにおいて、ページ送りされるタイミングの主映像Ｍの再生時刻の情報を付加することで、当該付加された情報（付加情報）に基づいて再生時刻に応じたページが表示される。この付加情報は、例えばオペレータ等がキーボード等から付加タイミング（主映像の再生時刻）を指定することで付加される。また、関連情報Ｒの合成映像内の大きさや表示位置等もオペレータ等が任意に指定することができる。
【００３３】
或いは、合成映像Ｇを生成する際に、関連情報Ｒを主映像Ｍ内に配置後、主映像を再生しながら関連映像Ｒを所定のタイミングでページ送りし、その主映像が再生されて関連映像がページ送りされた状態をそのまま１つの合成映像Ｇとして記録するようにしてもよい。
【００３４】
ここで、関連映像Ｒのページ送り（ページの切り替え）は、一瞬で切り替わるのではなく、複数フレーム（数十フレーム程度）かけて切り替わるようにするのが好ましい。即ち、関連映像のページ送りは、複数フレームを要して次のページに切り替えられるのが好ましい。つまり、複数フレームかけてページを切り替えることで、ページが唐突に切り替わるように見えることを避けて、映像に高級感と臨場感を持たせることができる。複数フレームからなる切替期間では、例えばフェードインフェードアウトやページがめくれるような効果等の視覚効果を施すことが挙げられる。
【００３５】
また、関連映像Ｒは主映像Ｍの再生開始と同時に表示されていなくてもよい。つまり、関連映像Ｒについて例えば説明等をするタイミングで表示するようにしてもよい。関連映像Ｒは、例えば、図５に示すような視覚効果によって主映像Ｍ内に表示させてもよい。図５の上段において、まず画像の上下方向に細長い矩形の枠線Ｆが表示される。次に図５の中段において、枠線Ｆが左右に広がって関連映像Ｒを表示するのに必要な範囲まで左右に拡大する。即ち、所定範囲になるまで、より小さな範囲から漸次拡大している。なお、図５の中段の状態では枠線Ｆのみである。そして、図５の下段で枠線Ｆの範囲に関連映像Ｒが表示される。つまり、関連映像Ｒの領域を示す枠を表示させてからその枠の範囲に関連映像Ｒを表示させてもよい。この枠線Ｆは、図５のような細長い矩形から広がる態様に限らず、例えば図６に示したように、左上から枠線Ｆが順次描画される態様等、関連画像Ｒの表示範囲に関連映像Ｒよりも先に表示させるものであればよい。
【００３６】
また、関連画像Ｒ表示時の視覚効果は図５、図６に限らず、図７に示したような点Ｄの状態から広がるようにして関連画像Ｒが表示されるような方法でもよい。また、点ではなく線から広がるような表示でもよい。さらには、画面の上から下に移動するようにして表示される、逆に下から上に移動するようにして表示される等、関連画像Ｒの表示領域となる所定領域の範囲の面積が拡大されるようにして表示させてもよい。関連映像Ｒの面積拡大は、点や線等に限らず、初期状態として５０％程度の縮小画像から徐々に拡大するようなものであってもよい。上述した視覚効果はＣＧ（Computer Graphics）やＶＦＸ（Visual Effects）などの技術を適用することにより可能である。このようにすることにより、関連映像Ｒの表示に際して臨場感を持たせることができる。
【００３７】
また、図５〜図７等に示した視覚効果を上述したページ送り時に適用してもよい。例えば、図５に示した視覚効果をページの切り替わりに挿入することで、ページ送りに唐突感を少なくして、映像に高級感を持たせることができる。
【００３８】
次に、映像生成プログラム１の動作のフローチャートを図７を参照して説明する。まず、主映像入力部２がＳＳＤ１０４から主映像Ｍを読み出し（ステップＳ１）、関連情報入力部３がＳＳＤ１０４から関連情報Ｒを読み出す（ステップＳ２）。なお、ステップＳ１とＳ２とは順序が逆であってもよい。
【００３９】
次に、生成部４が、主映像入力部２で読み出した主映像Ｍと、関連情報入力部３で読み出した関連情報Ｒと、に基づいて合成映像Ｇを生成する（ステップＳ３）。そして、出力部５が、生成部４で生成した合成映像Ｇを例えばＳＳＤ１０４に出力して格納する（ステップＳ４）。出力された合成映像Ｇは、例えばＷｅｂサーバ等に格納されて、外部からのアクセスに応じて配信される。また、生成部４は、合成画像Ｇを、アクセスされる端末ごとにmovie optimization（映像最適化）を行い、複数種類生成してもよい（ステップＳ５）。例えばスマートフォン等の携帯端末はＰＣ等の端末装置よりも一般的に処理性能が低いものが多いので、携帯端末用の合成画像Ｇは、携帯端末に合わせたビットレートやフレームレート或いは圧縮率とするような最適化を行う。Ｗｅｂサーバ等では、アクセスされたブラウザ等の端末側のソフトウエア等が送信するタグ情報等により端末の種類を識別して、その端末に合った合成画像Ｇを配信する。このようにすることにより、どのような端末であってもスムーズに再生することが可能となる。
【００４０】
以上の説明した映像生成プログラムによれば、主映像入力部２から主映像Ｍが入力され、関連情報入力部３から主映像Ｍと関連する情報である関連情報Ｒが入力され、生成部４が主映像Ｍの表示領域内の所定範囲に関連映像Ｒを埋め込んだ合成映像Ｇを生成する。そして、合成映像Ｇは、主映像Ｍと連動して関連映像Ｒが変化する。このようにすることにより、主映像Ｍの表示領域内に関連映像Ｒが埋め込まれているので、例えば説明会の動画像を主映像Ｍとして、その主映像Ｍと説明会用の資料等の関連情報Ｒとを同時に閲覧することができる。また、主映像内Ｍに関連情報Ｒが埋め込まれたように表示されるので、用途によって主映像Ｍを関連情報Ｒよりも大きく表示させることができるため、主映像Ｍに表示される発表者Ｐ等の表情等が分かり易くなり臨場感を持たせることができる。また、主映像Ｍの内容に連動させて関連情報Ｒを表示させることができる。したがって、閲覧者の利便性を考慮した映像を生成することができる。
【００４１】
また、主映像内Ｍに関連情報Ｒが埋め込まれたように表示されるので、視聴する端末の画面サイズによって表示態様が変化することがなく、どのような端末でも同じ態様で視聴することができる。
【００４２】
また、関連映像は、複数ページから構成されており、生成部４は、主映像Ｍと関連情報Ｒのページ送りとを連動させるので、例えば説明内容に合った資料のページを表示することが可能となる。
【００４３】
なお、上述した実施形態では、関連映像はページ単位の静止画で説明したが、動画像であってもよい。また、ページ単位である場合でも、説明に合わせてページ内で特定の文字等にハイライトを付したり、グラフの中で強調したい部分の色や大きさ等を変更する等の各種エフェクト処理を生成部４で施してもよい。即ち、ページ内の表示態様が変化している。図９は、ハイライトした場合の例である。図９も図３と同様に主映像Ｍの表示領域内に関連情報Ｒが表示されている。そして、関連映像Ｒのうち強調したい部分がハイライトＨとして表示されている。このハイライトＨは、当該部分の説明に合わせて強調される。
【００４４】
このハイライトＨのようなエフェクトのタイミングも、ページ送りと同様に再生時刻を付加情報として付加することで、当該部分の説明に合わせてエフェクト表示をすることができる。
【００４５】
また、図１０に示したように、生成部４は、合成映像Ｇとは別に、合成映像Ｇを特定の位置から再生するための目次（目次情報）を生成してもよい。図１０は、例えばＷｅｂブラウザの画面であり、合成映像Ｇの表示される右側に目次Ｉが表示されている。この目次Ｉにおいて、例えば「２．２０１６年上期業績」をクリックすると、当該項目に対応する再生時刻に合成映像Ｇの再生位置が移動する。すると、主映像Ｍは当該移動後の再生時刻から再生が開始され、関連情報Ｒは当該移動後の再生時刻に表示されるページが表示される。
【００４６】
このような目次情報は、図１１に示したような図１０の目次Ｉに対応したテーブルを生成部４が生成し、それを合成画像Ｇにリンクさせることで、目次Ｉの数字又はチャプタータイトル（項目情報）をクリックすれば図１１の時刻（時間情報）で設定した再生時刻から再生することができる。
【００４７】
また、映像生成プログラム１は、ＩＲ関連に限らず、製品発表等の発表会や、ｅラーニング（イーラーニング： ｅ−ｌｅａｒｎｉｎｇ）等で用いられる映像の生成に適用することができる。
【００４８】
なお、本発明は上記実施形態に限定されるものではない。即ち、当業者は、従来公知の知見に従い、本発明の骨子を逸脱しない範囲で種々変形して実施することができる。かかる変形によってもなお本発明の映像生成プログラムの構成を具備する限り、勿論、本発明の範疇に含まれるものである。
【符号の説明】
【００４９】
１            映像生成プログラム
２            主映像入力部（主映像情報入力部）
３            関連情報入力部
４            生成部（目次生成部）
【図１】
2018092627.tif 000003
【図２】
2018092627.tif 000004
【図３】
2018092627.tif 000005
【図４】
2018092627.tif 000006
【図５】
2018092627.tif 000007
【図６】
2018092627.tif 000008
【図７】
2018092627.tif 000009
【図８】
2018092627.tif 000010
【図９】
2018092627.tif 000011
【図１０】
2018092627.tif 000012
【図１１】
2018092627.tif 000013